【事件の表示】
　平成１１年特許願第２６１３３７号「パチンコ機」拒絶査定不服審判事件〔平成１３年　３月２７日出願公開、特開２００１−　７９２４７〕について、次のとおり審決する。
【結　論】
　本件審判の請求は、成り立たない。
【理　由】
１．手続の経緯 
　本願は、平成１１年９月１６日の出願であって、平成１４年６月２４日付で拒絶査定がなされ、平成１４年８月９日付に拒絶査定に対する審判請求がなされたものであって、その請求項１に係る発明（以下、本願発明という。）は、平成１４年２月８日付手続補正書の特許請求の範囲の請求項１に記載された次のとおりのものである。
　　　　　　　　　　　　　　　　　　　　　　　　
「　動作用電圧を供給できる電源と、バックアップ電圧を供給できるバックアップ電源と、貸し球、賞球に関する球情報を記憶することができる記憶手段と、前記動作用電圧が所定値以下に低下した場合に、前記記憶手段に前記バックアップ電源からバックアップ電圧を供給して、前記記憶手段に記憶されている球情報を保存することができるパチンコ機であって、前記動作用電圧が所定値以下に低下した後に所定値以上に復帰した場合、前記記憶手段に記憶されている球情報を呼び出して、前記動作用電圧が所定値以下に低下する以前の球払い出し状態に戻すことができる制御手段と、前記記憶手段に記憶されている球情報に対して上書きすることで消去する消去スイッチからなる消去手段と、前記記憶手段を装着した賞球制御基板のコネクタと、前記バックアップ電源を設けた別のバックアップ電源基板のコネクタとを、接続・離脱可能に構成し、バックアップ電源基板のコネクタと賞球制御基板のコネクタとを離脱することにより、記憶手段に記憶されている球情報を消去することができることを特徴とするパチンコ機。」
　　　　　　　　　　　　　　　　　　　　
２．引用例 
原査定の拒絶の理由で引用された特開昭６０−５８１８６号公報（以下、「引用例」という。）には、図面とともに以下の記載がある。 
　　　　　　　　　　　　 
（記載事項ａ） 
「（１）賞球放出機と、賞球放出情報を保持するメモリと、該メモリの賞球データに基づいて該賞球放出機を制御する制御手段と、を有する遊戯機において、前記メモリは停電時にその内容が保持可能なメモリであり、停電を検知する停電検知手段と、電源投入時に保持された前記メモリの記憶内容に基づいて動作を再開するか、新に動作を開始するかを定める継続／クリアスイッチと、を具備し、前記制御手段は、前記停電検知手段の停電検知に基づいて前記メモリに制御データを保存するように制御するものであることを特徴とする遊戯機の停電処理装置。
　（２）前記継続／クリアスイッチは、各遊戯機毎に、及び複数の遊戯機に共通に設けられ、それらの設定が異なる場合に各遊戯機毎の設定を優先させるように制御するものであることを特徴とする特許請求の範囲第１項記載の遊戯機の停電処理装置。
　（３）前記メモリは停電時にその内容を保持する保持手段を有するものであることを特徴とする特許請求の範囲第１項記載の遊戯機の停電処理装置。」（【特許請求の範囲】） 　　　　　　　　　　　　 
　　　　　　　　　　　　　　　 
（記載事項ｂ）
「  本発明は電子的に制御されるパチンコ台等の遊戯機の停電処理装置に関するものである。」（第１頁右下欄第１１〜１２行）
　　　　　　　　　　　　　　　　　　　　　
（記載事項ｃ）
  「しかしこのような遊戯機を電子的に制御する際には停電時の対策が問題となる。停電時にも入賞球データ等を電池等のバックアップ手段を用いて記憶させておくことは容易であるが、停電前に発射された球が停電後に入賞した場合や、停電時に残っている入賞球に対して停電復旧後に賞球を放出すべきかどうかは停電時間により異なる。即ち遊戯客が停電後もその遊戯台に残っていれば賞球を放出しなければならず、遊戯客が遊戯を停止してその台を離れた場合には賞球を放出する必要がない。従って制御部でこれらを一律に判断すれば不合理な結果を招くことがあった。例えば停電復旧後に未放出分を放出するようにしておけば、新しい客が停電復旧と共に遊戯を開始すると入賞球がないにもかかわらず前遊戯客の未放出分が放出されることとなり、又新遊戯客がいない台では係員が放出された球を回収しなければならず停電復旧後の後処理に非常な手間がかかるという問題点があつた。又停電の復旧時に電子制御部は日々の営業開始時の電源投入であるか、又は停電復旧であるのかを判断することは困難であった。」（第１頁右下欄第１８行〜第２頁左上欄第１８行）
　　　　　　　　　　　　　　　　　　　　　　　
（記載事項ｄ）
「メモリは停電時にその内容が保持可能なメモリであり、停電を検知する停電検知手段と、電源投入時に保持されたメモリの記憶内容に基づいて動作を再開するか、新に動作を開始するかを定める継続／クリアスイッチ」（第２頁右上欄第１８行〜左下欄第２行）
　　　　　　　　　　　　　　　　　　　　　　
（記載事項ｅ）
「さて本発明のパチンコ台の表面の、例えばガラス面の内側にはクリアスイッチ７、継続スイッチ８及び打止めクリアスイッチ９が設けられている。」（第２頁右下欄第６〜９行）
　　　　　　　　　　　　　　　　　　
（記載事項ｆ）
「このような特徴を有する本発明によれば、停電時には自動的に動作を停止すると共にその制御データがメモリに保持されている。従って動作を再開する場合に継続の設定を行えば停電前の状態でそのまま処理を継続することが可能であり、又クリア設定を行えば新に動作を開始することが可能となる。従って停電時の状況や停電時間に応じて適宜設定を変えることによって適切な動作再開をすることが可能である。それ故動作再開時に係員が放出された賞球を回収することなく、又停電の復旧を待ち受けて遊戯を開始する遊戯客に迷惑を及ぼすこともなくなるという効果が得られる。」（第２頁左下欄第６〜１７行）
　　　　　　　　　　　　　　　　　　　　
（記載事項ｇ）
「第３図は制御部１７の電気的構成を示すブロツク図である。本図においてパチンコ台表面のクリアスイッチ７、継続スイッチ８及び打止めクリアスイッチ９と複数のパチンコ台、例えばパチンコ店の全ての台あるいは複数の台から構成される島単位に設けられるオールクリアスイッチ２０とオール継続スイッチ２１の出力が入力バツフア２２に与えられ、波形整形及び信号の一時保持が成される。又パチンコ台の裏面の入賞球検知センサ１５と放出した賞球を確認する賞球確認センサ１９の出力が同じく入力バツフア２２によつて波形整形され、それらの各出力は入力信号Ｉ１〜Ｉ７として中央演算装置（以下CPUという）２３に伝えられる。CPU２３は内部にシステムプログラムを記憶するリードオンリメモリ（以下ROMという）２３ａとデータを一時保持するランダムアクセスメモリ（以下RAMという）２３ｂを有するものとする。RAM２３ｂには賞球の放出時に立てられ、確認によつてリセツトされる賞球放出フラグＦ１と賞球の放出が確認されたときに立てられる確認フラグＦ２及び停電を検知したときに立てられる停電検知フラグＦ３、更に入賞球数を計数して放出すべき賞球を保持する賞球放出レジスタＭ１が設けられている。」（第３頁左上欄第７〜右上欄第１０行）
　　　　　　　　　　　　　　　　　　　　　　
（記載事項ｈ）
「CPU２３には商用交流入力を直流電源に変換する電源部２４と電源切換部２５が接続されている。CPU２３はROM２３ａの演算処理手順に従ってトランジスタ２６とリレー２７を介して打球発射ハンドル１に連結される打球発射モータ２８を駆動すると共にトランジスタ２９を介して賞球放出装置１３を駆動するものである。
  次に第４図は電源部２４及び電源切換部２５を更に詳細に示すブロツク図である。本図において商用交流入力はトランス３１によって二つの低電圧に変換され、一方の電圧源には電源部２４の停電検知回路３２と電源回路３３が接続され、通常はこの電源回路３３によりCPU２３及び他の回路部に電源が供給されている。又トランス３１の他方の低電圧源には電源切換部２５が接続される。即ち低電圧源には整流素子３４を介して充電式電池３５と単安定マルチバイブレータ３６が並列に接続されている。充電式電池３５は整流器３４によって常に充電されており、又単安定マルチバイブレータ３６はCPU２３からの停電信号に基づいて所定時間、例えば10秒間の出力信号を与えるものである。単安定マルチバイブレータ３６の出力は更に電源切換用トランジスタ３７に与えられる。整流素子３４にはこのトランジスタ３７によって駆動される電源供給用トランジスタ３８が接続されている。トランジスタ３８は停電直後に充電式電池３５の電圧出力をダイオード３９，４０を介してCPU２３と他の回路部に伝えるものである。又ダイオード４１，４２は停電時に充電式電池３５によりCPU２３のRAM２３ｂをバックアップするために整流出力端とCPU２３の電源端子間に接続されている。
  次にこの停電処理装置を含むパチンコ台の動作について第５図及び第６図のフローチヤートを参照しつつ説明する。電源が投入されるとまずステツプ50においてトランジスタ２６をオフとし、リレー２７を介して打球の発射を停止する。そしてステツプ51に進んでその停電が10秒以内であるかどうかを単安定マルチバイブレータ３６の出力によりチエツクする。これが10秒以内の停電でなければステツプ52に進み個別クリア信号Ｉ１又はオールクリア信号Ｉ４が出力されているかどうかをチエツクし、更にステツプ53に進み個別継続信号Ｉ２又はオール継続信号Ｉ５があるかどうかをチエツクしてステツプ51〜53のループを繰り返す。クリア信号及び継続信号はオールクリア信号Ｉ４又はオール継続信号Ｉ５よりも個別の入力信号Ｉ１，Ｉ２を優先させるようにする。そしてステツプ51において10秒以内の停電である場合、又はステツプ52において継続信号が得られた場合にはステツプ54に進んでCPU２３のスタンバイモードを解除し、所定のデータ・レジスタを呼出し、プログラムカウンタを読出すと共に、トランジスタ２６をオンとして打球発射を許可して中断の再開を行う。又ステツプ52においていずれかのクリア信号Ｉ１，Ｉ４が得られた場合にはステツプ55に進んで初期処理を行い、ステツプ56においてトランジスタ２６を駆動して打球発射を可能にする。」（第３頁右上欄第１０行〜第４頁左上欄第８行）
　　　　　　　　　　　　　　　　　　　　　　　　　　　　　　　
（記載事項ｉ）
「一方充電式電池３５よりダイオード４１，４２を介してCPU２３にのみ電源が供給され続け、そのRAM２３ｂのデータはそのまま保持される。従って賞球放出レジスタＭ１や各フラグＦ１〜Ｆ３の内容はそのまま保持されている。続いて停電が復旧した場合には第５図に示すフローチャートの動作が開始され、停電後10秒以内であればステツプ51を介してステツプ54に進みCPU２３が動作モードとなって動作が再開される。10秒以上経過した場合にも継続信号が与えられれば同様にしてCPUが初期処理を行うことなくそのまま賞球放出レジスタＭ１の内容がRAM２３ｂが保持され動作が再開される。又クリア信号が与えられれば初期処理が行われて全く新に動作が開始される。従って係員は停電時間とその台に顧客が残っているかどうかを判断して全台毎にオールクリアもしくはオール継続スイッチでいずれかの信号を与え、更に各台毎にその台の状態に応じて継続スイッチもしくはクリアスイッチを入れて調整することが可能である。」（第４頁右下欄第８行〜第５頁左上欄第７行）
　　　　　　　　　　　　　　　　　　　　　
　これらの記載、並びに、特に、 
(i)「通常はこの電源回路３３によりCPU２３及び他の回路部に電源が供給されている。」（記載事項ｈ）という記載から、電源回路３３が「動作用電圧」を供給できるものであることが明らかなこと、
(ii)「停電時に充電式電池３５によりCPU２３のRAM２３ｂをバックアップする」（記載事項ｈ）という記載から、充電式電池３５が「バックアップ電圧」を供給できるものであることは明らかなこと、
(iii) 「商用交流入力はトランス３１によって二つの低電圧に変換され、一方の電圧源には電源部２４の停電検知回路３２と電源回路３３が接続され、通常はこの電源回路３３によりCPU２３及び他の回路部に電源が供給されている。」（記載事項ｈ）という記載から、電源回路３３が供給する動作用電圧が、停電時に「所定値以下に低下」すること、及び、停電が復旧した場合に「所定値以上に復帰」することが明らかなこと、
(iv)「メモリは停電時にその内容が保持可能なメモリであり、停電を検知する停電検知手段と、電源投入時に保持されたメモリの記憶内容に基づいて動作を再開するか、新に動作を開始するかを定める継続／クリアスイッチ」（記載事項ｄ）という記載、及び、「継続信号が与えられれば同様にしてCPUが初期処理を行うことなくそのまま賞球放出レジスタＭ１の内容がRAM２３ｂが保持され動作が再開される。」という記載（記載事項ｉ）から、パチンコ機が、動作用電圧が所定値以下に低下した後に所定値以上に復帰した場合、メモリに保持されている記憶内容を「呼び出して」、前記動作用電圧が所定値以下に低下する「以前の球払い出し状態に戻すことができる」CPU２３を備えることは明らかであること、
(v)「継続信号が与えられれば同様にしてCPUが初期処理を行うことなくそのまま賞球放出レジスタＭ１の内容がRAM２３ｂが保持され動作が再開される。」（記載事項ｉ）という記載及び「ステツプ52においていずれかのクリア信号Ｉ１，Ｉ４が得られた場合にはステツプ55に進んで初期処理を行い」（記載事項ｈ）という記載から、RAM２３ｂを初期処理することで「消去」することができることが明らかなこと、
　　　　　　　　　　　　　　　　　　　　　　　　
を勘案すれば、引用例には、次の発明（以下、「引用発明」という。）が記載されていると認められる。
　　　　　　　　　　　　　　　　　　　　　　　　　　
「　動作用電圧を供給できる電源回路３３と、バックアップ電圧を供給できる充電式電池３５と、放出すべき賞球を保持することができるRAM２３ｂと、前記動作用電圧が所定値以下に低下した場合に、前記RAM２３ｂに前記充電式電池３５からバックアップ電圧を供給して、前記RAM２３ｂに保持されている放出すべき賞球を保持することができる遊戯機であって、前記動作用電圧が所定値以下に低下した後に所定値以上に復帰した場合、メモリに保持されている放出すべき賞球を呼び出して、前記動作用電圧が所定値以下に低下する以前の球払い出し状態に戻すことができるCPU２３と、前記メモリに保持されている放出すべき賞球に対して初期処理することで消去するクリアスイッチ７を有する遊戯機。」
　　　　　　　　　　　　　　　　　　　　　
３．対比 
　そこで、本願補正発明と引用発明とを比較すると、引用発明の、ａ「電源回路３３」、ｂ「充電式電池３５」、ｃ「放出すべき賞球」、ｄ「保持」、ｅ「RAM２３ｂ」又は「メモリ」、ｆ「遊戯機」、ｇ「CPU２３」、ｈ「クリアスイッチ７」は、本願補正発明の、ａ「電源」、ｂ「バックアップ電源」、ｃ「賞球に関する球情報」又は「球情報」、ｄ「記憶」又は「保存」、ｅ「記憶手段」、ｆ「パチンコ機」、ｇ「制御手段」、ｈ「消去スイッチ」に相当する。
　引用発明における「放出すべき賞球」と本願発明における「貸し球、賞球に関する球情報」とは、「球情報」という点で共通している。
　引用発明の「メモリに保持されている放出すべき賞球に対して初期処理することで消去するクリアスイッチ７」と、本願発明の「記憶手段に記憶されている球情報に対して上書きすることで消去する消去スイッチからなる消去手段」とは、「記憶手段に記憶されている球情報を消去する消去スイッチからなる消去機構」という点で共通している。
　　　　　　　　　 　　　　　　　　　　　　　　　　
　よって、両者は、 
　　　　　　　　　　　　　　　　　　　　　　　
「　動作用電圧を供給できる電源と、バックアップ電圧を供給できるバックアップ電源と、球情報を記憶することができる記憶手段と、前記動作用電圧が所定値以下に低下した場合に、前記記憶手段に前記バックアップ電源からバックアップ電圧を供給して、前記記憶手段に記憶されている球情報を保存することができるパチンコ機であって、前記動作用電圧が所定値以下に低下した後に所定値以上に復帰した場合、前記記憶手段に記憶されている球情報を呼び出して、前記動作用電圧が所定値以下に低下する以前の球払い出し状態に戻すことができる制御手段と、前記記憶手段に記憶されている球情報を消去する消去スイッチからなる消去機構を有するパチンコ機。」
　　　　　　　　　　　　　 　　　　
である点で一致し、以下の点で相違する。 
　　　　　　　　　　　　　　　　　
　相違点１
　記憶手段が記憶する球情報が、本願発明では、貸し球、賞球に関する球情報であるのに対して、引用発明では、賞球に関する球情報である点。
　　　　　　
　相違点２
　球情報を消去する消去スイッチからなる消去機構が、本願発明では、上書きすることで消去する消去スイッチからなる消去手段であるのに対して、引用発明では、初期処理することで消去する消去スイッチである点。
　　　　　　
　相違点３
　本願発明は、記憶手段を装着した賞球制御基板のコネクタと、前記バックアップ電源を設けた別のバックアップ電源基板のコネクタとを、接続・離脱可能に構成し、バックアップ電源基板のコネクタと賞球制御基板のコネクタとを離脱することにより、記憶手段に記憶されている球情報を消去することができるのに対して、引用発明は、記憶手段に記憶されている球情報を消去するのは、消去機構のみであって、記憶手段が賞球制御基板に装着されていない点。
                　　　　　　　　　　　　
４．判断 
　相違点１
貸し球に関する球情報、賞球に関する球情報をそれぞれ記憶手段が記憶するのは周知技術（以下、「周知技術Ａ」という。）（例えば、特開平１０−２７７２５２号公報（特に、段落【０１２０】、【０１３８】〜【０１５４】、図２３〜図２５を参照。）、特開平５−３１２４８号公報（特に、段落【０１１９】、【０１３４】〜【０１５１】、図２２〜図２４）を参照。）であるし、パチンコ機の技術分野において、同一記憶手段の異なる領域に異なる種類のデータを記憶させることも周知技術（以下、「周知技術Ｂ」という。）（例えば、特開平１０−５２５５９号公報（特に、図８参照。）、特開昭５９−１９４７７２号公報（特に、第５Ａ図、第５Ｂ図参照。）、特開昭５９−５５２７３号公報（特に、第６図参照。）を参照。）である。してみれば、引用発明において、記憶手段が記憶する球情報として、前記周知技術Ａの如く貸し球、賞球に関する球情報を採用すると共に、前記周知技術Ｂの如く異なる種類のデータである貸し球に関する球情報と賞球に関する球情報とを同一の記憶手段に記憶させる設計変更を加味して、相違点に係る本願発明の如く構成することは、当業者が容易に想到できることである。
　　　　　　　　　　　　　　　　　　　　　　　　　　　
　相違点２
　上書きすることで記憶情報を消去することは周知技術（以下、「周知技術Ｃ」という。）（例えば、特開平４−１５０４７１号公報（特に、第７頁左下欄第２０行〜右下欄第１行を参照。）、特開平２−１５８２３４号公報（特に、第２頁左上欄第１〜２行を参照。）、特開平１１−２０３０７０号公報（特に、第７頁右欄第３７行を参照。）を参照。）であるから、引用発明において、消去スイッチを、前記周知技術の如く上書きすることで記憶情報を消去することができるようにして消去手段を構成させること、すなわち上記相違点２に係る構成とすることは、当業者が容易に想到できることである。
　　　　　　　　　　　
　相違点３
　パチンコ機を含む電子機器の技術分野において、記憶手段を消去する手段として、記憶手段のコネクタとバックアップ電源のコネクタとを、接続・離脱可能に構成し、バックアップ電源のコネクタと記憶手段のコネクタとを離脱することによってバックアップ電圧を遮断することは周知技術（以下、「周知技術Ｄ」という。）（例えば、特開平１１−８５４８０号公報（特に、段落【０００２】、【０００７】、【００２２】を参照。）、実公平４−５１２５０号公報（特に、第２頁左欄第２３〜３１行を参照。）を参照。）である。そして、球情報が記憶された記憶手段を、賞球制御基板に装着させることも周知技術（以下、「周知技術Ｅ」という。）（例えば、特開平１０−２７７２５２号公報（特に、段落【０１２０】、【０１３８】〜【０１５４】、図２３〜図２５を参照。）、特開平５−３１２４８号公報（特に、段落【０１１９】、【０１３４】〜【０１５１】、図２２〜図２４）を参照。）である。
　パチンコ機を含む電子機器の技術分野において、バックアップ電源基板に設けられたバックアップ電源からバックアップ電圧を供給することも周知技術（以下、「周知技術Ｆ」という。）（例えば、特開平１１−１８８１３８号公報（特に、段落【００３６】、図３を参照。）、特開平１１−１２８４４５号公報（特に、段落【００３４】、図３を参照。）、特公平７−５９２２２号公報を参照。）である。
　また、同じことを異なる別の手段でもできるようにすることは、ごく普通に行われていることである（例えば、ビデオの電源オフを、ビデオ本体のスイッチでも、リモコンのスイッチでも行えることを参照。）。
　してみれば、引用発明において、消去機構とは異なる別の手段で、記憶手段に記憶されている球情報を消去できるようするために、記憶手段を消去する手段として、前記周知技術Ｄの如く記憶手段のコネクタとバックアップ電源のコネクタとを、接続・離脱可能に構成し、バックアップ電源のコネクタと記憶手段のコネクタとを離脱させることによってバックアップ電圧を遮断すること、並びに、その際に、前記周知技術Ｅの如く記憶手段を、賞球制御基板に装着させ、バックアップ電源からのバックアップ電圧を、賞球制御基板を介して記憶手段に供給するために、バックアップ電源のコネクタと接続・離脱可能なコネクタを、記憶手段のコネクタに替えて賞球制御基板のコネクタとし、バックアップ電源として前記周知技術Ｆの如くバックアップ電源基板を採用する設計変更を加味して上記相違点３に係る本願発明の如く構成することは、当業者が容易に想到できることである。
　　　　　　　　　　　　　　　　　　　　　　
５．本願発明の作用効果 
　以上のように各相違点は格別のものではなく、それらを総合的に判断しても格別の作用効果は認められないから、本願発明は引用発明及び前記周知技術Ａ〜Ｆに基づいて当業者が容易に発明することができたものである
　　　　　　　 　　　　　　
６．むすび 
　以上のとおり、本願発明は、引用例記載の発明、及び、前記周知技術Ａ〜Ｆに基づいて、当業者が容易に発明をすることができたものであるから、特許法第２９条第２項の規定により特許を受けることができない。 
　よって、結論のとおり審決する。